(57)【特許請求の範囲】
【請求項１】
少なくとも２つの筐体を上下に重ねて組立設置する筐体の組立構造において、
各筐体の前側には、前蓋を取り付ける前蓋係止具を備え、各筐体の裏側には、各筐体同士を接続するユニットを取り付けるユニット係止具を設け、そのユニットには前蓋を取り付ける前蓋係止具を設け、
前側の前蓋係止具から取り外した前蓋を、ユニットの前蓋係止具に取り付けて組立設置するようにしたことを特徴とする筐体の組立構造。
【請求項２】
請求項１において、ユニットには、各筐体に接続するケーブルと、このケーブルを固縛する配線クランプを設けたことを特徴とする筐体の組立構造。
【請求項３】
少なくとも２つの筐体を上下に重ねて組立設置する筐体の組立構造において、
前蓋を取り付ける前蓋係止具を各筐体の前側および裏側に設け、前側の前蓋係止具から取り外した前蓋を、裏側の前蓋係止具に取り付けて組立設置するようにしたことを特徴とする筐体の組立構造。
【請求項４】
請求項１または請求項３において、筐体の裏蓋を取り付ける裏蓋係止部を前蓋に備えたことを特徴とする筐体の組立構造。
【発明の詳細な説明】
【０００１】
【発明の属する技術分野】
本発明は、船舶や車等に搭載される可搬型電子機器の筐体の組立構造に関する。
【０００２】
【従来の技術】
一般に、大型の可搬型電子機器は、持ち運びの利便性等から複数の筐体に分けて運搬し、現地にて組立設置するようにしている。また、筐体は、正面側を前蓋、裏側を裏蓋で覆って運搬される。そして、現地にて組立の際に、前蓋と裏蓋を取り外して組み立てる。取り外した前蓋と裏蓋は、組立体とは別に保管するようになっている。また、各筐体同士の接続は、揺動等で筐体が浮かんで外れないように強い力で行う必要があるため、強力な止め具で行っていた。また、各筐体同士は、電気的にケーブルで接続していた。
【０００３】
【発明が解決しようとする課題】
しかしながら、従来の筐体の組立構造では、取り外した前蓋や裏蓋を収納する場所が必要であって、各蓋を筐体と離して保管するため、紛失したり、どの筐体にどの蓋が取り付くのかの判断がつきにくい問題があった。また、強力な止め具を必要とするため、設計上の制約があり、コスト高になる問題があった。さらに、筐体の組立をくずすと、各筐体同士を電気的に接続したケーブルも取り外すことなるため、ケーブルがどの筐体に接続するのかの判断がつきにくい問題があった。
【０００４】
【課題を解決するための手段】
そこで本発明は、少なくとも２つの筐体を上下に重ねて組立設置する筐体の組立構造において、各筐体の前側には、前蓋を取り付ける前蓋係止具を備え、各筐体の裏側には、各筐体同士を接続するユニットを取り付けるユニット係止具を設け、そのユニットには前蓋を取り付ける前蓋係止具を設け、前側の前蓋係止具から取り外した前蓋を、ユニットの前蓋係止具に取り付けて組立設置するようにした。なお、ユニットには、各筐体に接続するケーブルと、このケーブルを固縛する配線クランプを設けるのが好ましい。
【０００５】
また、前蓋を取り付ける前蓋係止具を各筐体の前側および裏側に設け、前側の前蓋係止具から取り外した前蓋を、裏側の前蓋係止具に取り付けて組立設置するようにしてもよい。また、筐体の裏蓋を取り付ける裏蓋係止部を前蓋に備えるようにしてもよい。
【０００６】
【発明の実施の形態】
以下に、図面を参照して、本発明の実施の形態を説明する。
図１は、筐体の組立構造の側面図である。図において、１は可搬型電子機器の筐体を組み立てた組立体である。この組立体１は、台座２ａを有する下筐体２の上に上筐体３を重ね、下筐体２と上筐体３とを結ぶ裏面側に配線ユニット４を取り付け、この配線ユニット４に下筐体２と上筐体３の前蓋５，６を取り付け、この前蓋５，６の内側に下筐体２と上筐体３の裏蓋７，８を取り付けた構造をしている。
【０００７】
前記下筐体２の両側面には、略対称にフック９，１０，１１を取り付けてある。前記上筐体３の両側面には、略対称にフック１２，１３，１４を取り付けてある。前記配線ユニット４の両側面には、略対称にフック１５，１６を取り付けてある。
また、前記下筐体２の両側面には、前記フック９からの距離と前記フック１２からの距離が等しい位置に回転自在なパチン錠１７を取り付けてある。このパチン錠１７の引っ掛け金具１７ａが、前記フック９および前記フック１２に引っ掛かるようになっている。図１では、パチン錠１７の引っ掛け金具１７ａが、フック１２に引っ掛かった状態を示しており、下筐体２と上筐体３とを接続する作用を有している。さらに、下筐体２の両側面には、前記フック１０からの距離と前記フック１３からの距離が等しい位置に回転自在なパチン錠１８を取り付けてある。このパチン錠１８の引っ掛け金具１８ａが、前記フック１０および前記フック１３に引っ掛かるようになっている。図１では、パチン錠１８の引っ掛け金具１８ａが、フック１３に引っ掛かった状態を示しており、下筐体２と上筐体３とを接続する作用を有している。
【０００８】
また、前記配線ユニット４の両側面には、前記フック１１からの距離と前記フック１５からの距離が等しい位置に回転自在なパチン錠１９を取り付けてある。このパチン錠１９の引っ掛け金具１９ａが、前記フック１１および前記フック１５に引っ掛かるようになっている。図１では、パチン錠１９の引っ掛け金具１９ａが、フック１１に引っ掛かった状態を示しており、下筐体２と配線ユニット４とを接続する作用を有している。さらに、前記配線ユニット４の両側面には、前記フック１４からの距離と前記フック１６からの距離が等しい位置に回転自在なパチン錠２０を取り付けてある。このパチン錠２０の引っ掛け金具２０ａが、前記フック１４および前記フック１６に引っ掛かるようになっている。図１では、パチン錠２０の引っ掛け金具２０ａが、フック１４に引っ掛かった状態を示しており、上筐体３と配線ユニット４とを接続する作用を有している。
【０００９】
また、前記下筐体２の両側面の前側には、ファスナ２１が取り付けてある。前記上筐体３の両側面の前側には、ファスナ２２が取り付けてある。前記配線ユニット４の両側面には、ファスナ２３，２４が取り付けてある。また、前蓋６，５の両側面には、それぞれファスナ２５，２６が取り付けてある。ファスナ２５，２６は、それぞれ前記ファスナ２１，２２と噛み合って、前蓋６，５をそれぞれ下筐体２と上筐体３に接続する作用を有している。また、ファスナ２５，２６は、それぞれ前記ファスナ２３，２４と噛み合って、前蓋６，５をそれぞれ配線ユニット４に接続する作用を有している。図１では、ファスナ２３とファスナ２５およびファスナ２４とファスナ２６を接続した状態を示している。
【００１０】
さらにまた、前記下筐体２の両側面には、取っ手２７，２８が取り付けてある。前記上筐体３の両側面には、取っ手２９，３０が取り付けてある。また、配線ユニット４の下部は、ケーブル３１を引出した状態となっている。
図２は、筐体の組立構造の正面図である。図において、この組立体１では、上述したように、台座２ａを有する下筐体２の両側面には、フック１１、引っ掛け金具１７ａを有するパチン錠１７、ファスナ２１が左右対称な位置に取り付けてある。また、上筐体３の両側面には、フック１２、フック１４、ファスナ２２が左右対称な位置に取り付けてある。また、下筐体２と上筐体３の正面側が開口した状態となっている。
【００１１】
図３は、筐体の組立構造の一部破砕側面図であり、図１の一部を破砕して配線ユニット４の内部を表した状態を示している。なお、同一要素の説明は省略する。図において、配線ユニット４の下部から内部へ延びたケーブル３１は、配線ユニット４に適宜配置した配線クランプ３２に固縛して下筐体２および上筐体３の裏側に延び、コネクタ３３によって図示しない配線基板等に接続するようになっている。
【００１２】
次に、上筐体３、下筐体２および配線ユニット４の構造を個別に説明する。なお、上述した構成要素の説明は省略する。
図４は上筐体の側面図、図５は上筐体の正面図である。図４および図５において、上筐体３の下部には、ゴム足３５が４隅に取り付けてある。なお、上筐体３は、前蓋５と裏蓋７が取り付けた状態で持ち運びされる。そして、設置現地にて、図４に示すように、前蓋５は、ファスナ２２，２６を外し上筐体３の正面側から矢印ａ方向に外す。裏蓋７は、ねじ具３４を外し上筐体３の裏側から矢印ｂ方向に外す。
【００１３】
図６は下筐体の側面図、図７は下筐体の正面図である。図６および図７において、下筐体２の上部には、ゴム足受け金具３６が４隅に取り付けてあり、前記ゴム足３６が嵌まるようになっている。なお、下筐体２は、前蓋６と裏蓋８が取り付けた状態で持ち運びされる。そして、設置現地にて、図６に示すように、前蓋６は、ファスナ２１，２５を外し下筐体２の正面側から矢印ｃ方向に外す。裏蓋８は、ねじ具３４を外し下筐体２の裏側から矢印ｄ方向に外す。図６では、パチン錠１７の引っ掛け金具１７ａが、フック９に引っ掛かった状態を示している。また、パチン錠１８の引っ掛け金具１８ａが、フック１０に引っ掛かった状態を示している。
【００１４】
図８は配線ユニットの側面図、図９は配線ユニットの正面図である。図８および図９において、パチン錠１９の引っ掛け金具１９ａが、フック１５に引っ掛かった状態を示している。パチン錠２０の引っ掛け金具２０ａが、フック１６に引っ掛かった状態を示している。また、図９に示すように、前記配線クランプ３２が、一定の高さに複数本配置してある。
【００１５】
それでは、現地における組立手順を説明する。図１０は、筐体の組立構造の組立手順の説明図である。まず、下筐体２からは、前蓋６と裏蓋８を外し、上筐体３からは、前蓋５と裏蓋７を外す。そして、図に示すように、設置位置に据えた下筐体２の上に、上筐体３を矢印ｅ方向に重ね、配線ユニット４を矢印ｆ方向から取り付ける。次に、ケーブル３１は、矢印ｇ方向から配線ユニット４内に入れ、コネクタ３３を接続する。また、前蓋５には、裏蓋７を矢印ｈ方向から入れ、ネジ具３４で矢印ｉ方向から止める。前蓋６には、裏蓋８を矢印ｋ方向から入れ、ネジ具３４で矢印ｌ方向から止める。そして、裏蓋７を取り付けた前蓋５は、矢印ｊ方向から配線ユニット４に取り付ける。裏蓋８を取り付けた前蓋６は、矢印ｍ方向から配線ユニット４に取り付ける。
【００１６】
最後に、裏蓋の前蓋への取り付け状態を詳細に説明する。図１１は、裏蓋の前蓋への取り付け状態の説明図である。なお、裏蓋７の前蓋５への取り付け状態を説明するが、裏蓋８の前蓋６への取り付け状態も同様であるので説明を省略する。また、図において、パチン錠等は省略してある。図に示すように、前蓋５は、片面が開口した箱型のものである。裏蓋７は、前蓋５の開口形状よりも小さな板状のものであり、ねじ具３４を通す貫通孔７ａが穿孔してある。そして、前蓋５には、裏蓋７を矢印ｈ方向から二点鎖線のように入れ、ねじ具３４で矢印ｉ方向から止める。なお、前蓋５には、裏蓋７の貫通孔７ａと合う位置にねじ受け具を設けてある。また、前蓋５には、裏蓋７を固定する図示しない金具を備えておくのが好ましい。
【００１７】
なお、上記実施の形態では、上下二段の筐体の組立構造の場合を説明したが、三段以上であっても同様に行うことができる。また、上記実施の形態では、配線ユニットを介して各蓋を裏側に取り付ける場合を説明したが、ケーブルの引出しが問題なければ各筐体自体の裏側に前蓋を取り付けるようにしてもよい。
【００１８】
【発明の効果】
以上説明したように本発明の筐体組立構造によると、裏蓋を取り付けた前蓋を組立体の裏側に取り付けるようにしたため、各蓋を筐体と離して保管しなくて済む効果が得られ、このため、蓋の紛失を防止し、どの筐体にどの蓋が取り付くのかの判断も容易になる効果が得られる。また、重ねた各筐体を接続する配線ユニットを取り付けた組立体としたため、各筐体同士を接続する止め具はそれほど強力なものは不要となり、設計の範囲が増え、低コストになる効果が期待できる。さらに、筐体の組立をくずした場合には、各筐体同士を電気的に接続したケーブルは、配線ユニットの配線クランプに固縛しておけば、ケーブルがどの筐体に接続するのかの判断もつきやすくなる効果が期待できる。
【図面の簡単な説明】
【図１】実施の形態の筐体の組立構造の側面図
【図２】実施の形態の筐体の組立構造の正面図
【図３】実施の形態の筐体の組立構造の一部破砕側面図
【図４】実施の形態の上筐体の側面図
【図５】実施の形態の上筐体の正面図
【図６】実施の形態の下筐体の側面図
【図７】実施の形態の下筐体の正面図
【図８】実施の形態の配線ユニットの側面図
【図９】実施の形態の配線ユニットの正面図
【図１０】実施の形態の筐体の組立構造の組立手順の説明図
【図１１】実施の形態の裏蓋の前蓋への取り付け状態の説明図
【符号の説明】
１  組立体
２  下筐体
２ａ  台座
３  上筐体
４  配線ユニット
５，６  前蓋
７，８  裏蓋
７ａ  貫通孔
９〜１６  フック
１７〜２０  パチン錠
１７ａ，１８ａ，１９ａ，２０ａ  引っ掛け金具
２１〜２６  ファスナ
２７〜３０  取っ手
３１  ケーブル
３２  配線クランプ
３３  コネクタ
３４  ねじ具
３５  ゴム足
３６  ゴム足受け金具
【図１】
0003863656.tif 000002
【図２】
0003863656.tif 000003
【図３】
0003863656.tif 000004
【図４】
0003863656.tif 000005
【図５】
0003863656.tif 000006
【図６】
0003863656.tif 000007
【図７】
0003863656.tif 000008
【図８】
0003863656.tif 000009
【図９】
0003863656.tif 000010
【図１０】
0003863656.tif 000011
【図１１】
0003863656.tif 000012